【手続補正書】
【提出日】平成24年3月15日(2012.3.15)
【手続補正１】
【補正対象書類名】明細書
【補正対象項目名】０００６
【補正方法】変更
【補正の内容】
【０００６】
上記課題を解決するため、請求項１に記載の発明の焦点調整装置は、
レンズの焦点距離が第１の状態で撮像される第１画像を逐次取得する第１取得手段と、前記第１取得手段による前記第１画像の取得中に、レンズの焦点距離を前記第１の状態とは異なる第２の状態にして撮像された第２画像を取得する第２取得手段と、前記第２取得手段により取得された前記第２画像に基づいて、前記第１取得手段による前記第１画像の撮像の際のレンズの焦点距離の状態を変更する変更手段と、を備えたことを特徴としている。
【手続補正２】
【補正対象書類名】明細書
【補正対象項目名】０００７
【補正方法】変更
【補正の内容】
【０００７】
請求項２に記載の発明は、更に、前記第１画像及び前記第２画像のコントラストをそれぞれ算出して、比較判定する判定手段を更に備え、前記変更手段は、前記判定手段により前記第２画像のコントラストが前記第１画像のコントラストよりも良いと判定された場合に、前記第１取得手段による前記第１画像の撮像の際のレンズの焦点距離の状態を変更することを特徴としている。
請求項３に記載の発明は、更に、前記変更手段は、前記判定手段により前記第１画像のコントラストが前記第２画像のコントラストよりも良いと判定された場合には、前記第１取得手段による前記第１画像の撮像の際のレンズの焦点距離の状態を前記第１の状態に維持することを特徴としている。
請求項４に記載の発明は、更に、前記変更手段は、前記判定手段により前記第２画像のコントラストが前記第１画像のコントラストよりも良いと判定された場合に、前記第１取得手段による前記第１画像の撮像の際のレンズの焦点距離の状態を、前記第１の状態から前記第２の状態に基づく他の状態に変更することを特徴としている。
請求項５に記載の発明は、更に、前記第２取得手段により取得された前記第２画像を表示することなく、前記第１取得手段により逐次取得される第１画像を逐次表示する表示手段を更に備えたことを特徴としている。
請求項６に記載の発明は、更に、前記第１取得手段は、レンズの焦点距離を第１の焦点距離に固定した状態で撮像される第１画像を逐次取得し、前記第２取得手段は、前記第１取得手段による前記第１画像の取得中に、一時的にレンズの焦点距離を前記第１の焦点距離とは異なる第２の焦点距離にして撮像された第２画像を取得し、その後、レンズの焦点距離を前記第１の焦点距離に戻して前記第１取得手段の撮像動作を継続させることを特徴としている。
請求項７に記載の発明は、更に、前記レンズは、印加電圧に応じて焦点を変化させる可変焦点レンズであり、前記第２取得手段は、前記第１取得手段による前記第１画像の取得中に、前記可変焦点レンズの焦点を変化させることによって、一時的にレンズの焦点距離を前記第１の焦点距離とは異なる第２の焦点距離にすることを特徴としている。
請求項８に記載の発明は、更に、前記第２取得手段は、レンズの焦点距離を変化させながら焦点調整用の第２画像を複数取得し、前記表示手段は、前記焦点調整用の第２画像を表示することなく、前記複数の第１画像を所定の更新間隔で更新して表示することを特徴としている。
【手続補正３】
【補正対象書類名】明細書
【補正対象項目名】０００８
【補正方法】変更
【補正の内容】
【０００８】
請求項９に記載の発明は、更に、前記第２取得手段により取得された前記複数の第２画像のコントラストを比較することにより焦点調整を行う焦点調整手段を更に備えたことを特徴としている。
【手続補正４】
【補正対象書類名】明細書
【補正対象項目名】０００９
【補正方法】変更
【補正の内容】
【０００９】
請求項１０に記載の発明は、更に、撮像により画像フレームを順次生成する撮像手段を更に備え、前記第１取得手段及び前記第２取得手段は、前記撮像手段により生成された各画像フレームを構成する複数の画素からなる所定方向の各ラインを所定の取得規則に従って前記第１画像及び前記第２画像としてそれぞれ順次取得することを特徴としている。
【手続補正５】
【補正対象書類名】明細書
【補正対象項目名】００１０
【補正方法】変更
【補正の内容】
【００１０】
請求項１１に記載の発明は、更に、前記判定手段は、前記第１画像としてのラインの所定方向のコントラストと前記第２画像としてのラインの所定方向のコントラストとを比較判定することを特徴としている。
【手続補正６】
【補正対象書類名】明細書
【補正対象項目名】００１１
【補正方法】変更
【補正の内容】
【００１１】
請求項１２に記載の発明は、更に、撮像により画像フレームを順次生成する撮像手段を更に備え、前記第１取得手段及び前記第２取得手段は、前記撮像手段により生成された各画像フレームを所定の取得規則に従って前記第１画像及び前記第２画像としてそれぞれ順次取得することを特徴としている。
【手続補正７】
【補正対象書類名】明細書
【補正対象項目名】００１２
【補正方法】変更
【補正の内容】
【００１２】
請求項１３に記載の発明は、更に、前記撮像手段に撮像された前記第２画像の表示タイミングで前記表示手段に表示される画像を当該第２画像の前後の第１画像から補間生成する画像生成手段を更に備えることを特徴としている。
【手続補正８】
【補正対象書類名】明細書
【補正対象項目名】００１３
【補正方法】変更
【補正の内容】
【００１３】
請求項１４に記載の発明は、更に、前記変更手段は、静止画撮像モードにて、前記表示手段に前記複数の第１画像を順次更新して表示中に、前記第１画像の撮像の際のレンズの焦点距離を前記第２画像を撮像した際の焦点距離に変更し、前記撮像手段は、レンズの焦点距離を固定した状態で本画像の撮像を行うことを特徴としている。
【手続補正９】
【補正対象書類名】明細書
【補正対象項目名】００１４
【補正方法】変更
【補正の内容】
【００１４】
請求項１５に記載の発明は、更に、前記複数の第１画像からなる動画像を記録する動画像記録手段を更に備え、前記変更手段は、動画撮像モードにて、前記動画像記録手段による前記動画像の記録中に、前記第１画像の撮像の際のレンズの焦点距離を前記第２画像を撮像した際の焦点距離に変更することを特徴としている。
【手続補正１０】
【補正対象書類名】明細書
【補正対象項目名】００１５
【補正方法】変更
【補正の内容】
【００１５】
請求項１６に記載の発明は、更に、前記第１取得手段による前記第１画像の取得及び前記第２取得手段による前記第２画像の取得を交互に順次行うことを特徴としている。
【手続補正１１】
【補正対象書類名】明細書
【補正対象項目名】００１６
【補正方法】変更
【補正の内容】
【００１６】
請求項１７に記載の発明は、更に、前記レンズは、印加電圧に応じて焦点を変化させる可変焦点レンズであり、前記可変焦点レンズの焦点を変化させることによって、前記第１画像及び前記第２画像を撮像する際の焦点距離を変化させることを特徴としている。
【手続補正１２】
【補正対象書類名】明細書
【補正対象項目名】００１７
【補正方法】変更
【補正の内容】
【００１７】
請求項１８に記載の発明は、更に、前記第１画像及び前記第２画像を撮像する際の焦点距離に係る第１管理情報及び第２管理情報を記憶する管理手段を更に備え、前記管理手段は、前記判定手段により前記第２画像のコントラストが前記第１画像のコントラストよりも良いと判定された場合に、前記第１管理情報の内容を前記第２画像を撮像した際の焦点距離に変更することを特徴としている。
【手続補正１３】
【補正対象書類名】明細書
【補正対象項目名】００１８
【補正方法】変更
【補正の内容】
【００１８】
請求項１９に記載の発明の焦点調整方法は、
焦点調整装置に、レンズの焦点距離が第１の状態で撮像される第１画像を逐次取得する第１取得処理と、前記第１取得処理による前記第１画像の取得中に、レンズの焦点距離を前記第１の状態とは異なる第２の状態にして撮像された第２画像を取得する第２取得処理と、前記第２取得処理により取得された前記第２画像に基づいて、前記第１取得処理による前記第１画像の撮像の際のレンズの焦点距離の状態を変更する変更処理と、を実行させることを特徴としている。
【手続補正１４】
【補正対象書類名】明細書
【補正対象項目名】００１９
【補正方法】変更
【補正の内容】
【００１９】
請求項２０に記載の発明のプログラムは、
焦点調整装置のコンピュータを、レンズの焦点距離が第１の状態で撮像される第１画像を逐次取得する第１取得手段、前記第１取得手段による前記第１画像の取得中に、レンズの焦点距離を前記第１の状態とは異なる第２の状態にして撮像された第２画像を取得する第２取得手段、前記第２取得手段により取得された前記第２画像に基づいて、前記第１取得手段による前記第１画像の撮像の際のレンズの焦点距離の状態を変更する変更手段、として機能させることを特徴としている。
【手続補正１５】
【補正対象書類名】特許請求の範囲
【補正対象項目名】全文
【補正方法】変更
【補正の内容】
【特許請求の範囲】
【請求項１】
レンズの焦点距離が第１の状態で撮像される第１画像を逐次取得する第１取得手段と、
前記第１取得手段による前記第１画像の取得中に、レンズの焦点距離を前記第１の状態とは異なる第２の状態にして撮像された第２画像を取得する第２取得手段と、
前記第２取得手段により取得された前記第２画像に基づいて、前記第１取得手段による前記第１画像の撮像の際のレンズの焦点距離の状態を変更する変更手段と、
を備えたことを特徴とする焦点調整装置。
【請求項２】
前記第１画像及び前記第２画像のコントラストをそれぞれ算出して、比較判定する判定手段を更に備え、
前記変更手段は、前記判定手段により前記第２画像のコントラストが前記第１画像のコントラストよりも良いと判定された場合に、前記第１取得手段による前記第１画像の撮像の際のレンズの焦点距離の状態を変更することを特徴とする請求項１に記載の焦点調整装置。
【請求項３】
前記変更手段は、前記判定手段により前記第１画像のコントラストが前記第２画像のコントラストよりも良いと判定された場合には、前記第１取得手段による前記第１画像の撮像の際のレンズの焦点距離の状態を前記第１の状態に維持することを特徴とする請求項２に記載の焦点調整装置。
【請求項４】
前記変更手段は、前記判定手段により前記第２画像のコントラストが前記第１画像のコントラストよりも良いと判定された場合に、前記第１取得手段による前記第１画像の撮像の際のレンズの焦点距離の状態を、前記第１の状態から前記第２の状態に基づく他の状態に変更することを特徴とする請求項３に記載の焦点調整装置。
【請求項５】
前記第２取得手段により取得された前記第２画像を表示することなく、前記第１取得手段により逐次取得される第１画像を逐次表示する表示手段を更に備えたことを特徴とする請求項１〜４の何れか一項に記載の焦点調整装置。
【請求項６】
前記第１取得手段は、レンズの焦点距離を第１の焦点距離に固定した状態で撮像される第１画像を逐次取得し、
前記第２取得手段は、前記第１取得手段による前記第１画像の取得中に、一時的にレンズの焦点距離を前記第１の焦点距離とは異なる第２の焦点距離にして撮像された第２画像を取得し、その後、レンズの焦点距離を前記第１の焦点距離に戻して前記第１取得手段の撮像動作を継続させることを特徴とする請求項１〜５の何れか一項に記載の焦点調整装置。
【請求項７】
前記レンズは、印加電圧に応じて焦点を変化させる可変焦点レンズであり、
前記第２取得手段は、前記第１取得手段による前記第１画像の取得中に、前記可変焦点レンズの焦点を変化させることによって、一時的にレンズの焦点距離を前記第１の焦点距離とは異なる第２の焦点距離にすることを特徴とする請求項６に記載の焦点調整装置。
【請求項８】
前記第２取得手段は、
レンズの焦点距離を変化させながら焦点調整用の第２画像を複数取得し、
前記表示手段は、
前記焦点調整用の第２画像を表示することなく、前記複数の第１画像を所定の更新間隔で更新して表示することを特徴とする請求項１〜６の何れか一項に記載の焦点調整装置。
【請求項９】
前記第２取得手段により取得された前記複数の第２画像のコントラストを比較することにより焦点調整を行う焦点調整手段を更に備えたことを特徴とする請求項８に記載の焦点調整装置。
【請求項１０】
撮像により画像フレームを順次生成する撮像手段を更に備え、
前記第１取得手段及び前記第２取得手段は、
前記撮像手段により生成された各画像フレームを構成する複数の画素からなる所定方向の各ラインを所定の取得規則に従って前記第１画像及び前記第２画像としてそれぞれ順次取得することを特徴とする請求項１〜９の何れか一項に記載の焦点調整装置。
【請求項１１】
前記判定手段は、
前記第１画像としてのラインの所定方向のコントラストと前記第２画像としてのラインの所定方向のコントラストとを比較判定することを特徴とする請求項１０に記載の焦点調整装置。
【請求項１２】
撮像により画像フレームを順次生成する撮像手段を更に備え、
前記第１取得手段及び前記第２取得手段は、
前記撮像手段により生成された各画像フレームを所定の取得規則に従って前記第１画像及び前記第２画像としてそれぞれ順次取得することを特徴とする請求項１〜１０の何れか一項に記載の焦点調整装置。
【請求項１３】
前記撮像手段に撮像された前記第２画像の表示タイミングで前記表示手段に表示される画像を当該第２画像の前後の第１画像から補間生成する画像生成手段を更に備えることを特徴とする請求項１０〜１２の何れか一項に記載の焦点調整装置。
【請求項１４】
前記変更手段は、
静止画撮像モードにて、前記表示手段に前記複数の第１画像を順次更新して表示中に、前記第１画像の撮像の際のレンズの焦点距離を前記第２画像を撮像した際の焦点距離に変更し、
前記撮像手段は、
レンズの焦点距離を固定した状態で本画像の撮像を行うことを特徴とする請求項１０〜１３の何れか一項に記載の焦点調整装置。
【請求項１５】
前記複数の第１画像からなる動画像を記録する動画像記録手段を更に備え、
前記変更手段は、
動画撮像モードにて、前記動画像記録手段による前記動画像の記録中に、前記第１画像の撮像の際のレンズの焦点距離を前記第２画像を撮像した際の焦点距離に変更することを特徴とする請求項１０〜１４の何れか一項に記載の焦点調整装置。
【請求項１６】
前記第１取得手段による前記第１画像の取得及び前記第２取得手段による前記第２画像の取得を交互に順次行うことを特徴とする請求項１〜１５の何れか一項に記載の焦点調整装置。
【請求項１７】
前記レンズは、
印加電圧に応じて焦点を変化させる可変焦点レンズであり、
前記可変焦点レンズの焦点を変化させることによって、前記第１画像及び前記第２画像を撮像する際の焦点距離を変化させることを特徴とする請求項１〜１６の何れか一項に記載の焦点調整装置。
【請求項１８】
前記第１画像及び前記第２画像を撮像する際の焦点距離に係る第１管理情報及び第２管理情報を記憶する管理手段を更に備え、
前記管理手段は、
前記判定手段により前記第２画像のコントラストが前記第１画像のコントラストよりも良いと判定された場合に、前記第１管理情報の内容を前記第２画像を撮像した際の焦点距離に変更することを特徴とする請求項１〜１７の何れか一項に記載の焦点調整装置。
【請求項１９】
焦点調整装置に、
レンズの焦点距離が第１の状態で撮像される第１画像を逐次取得する第１取得処理と、
前記第１取得処理による前記第１画像の取得中に、レンズの焦点距離を前記第１の状態とは異なる第２の状態にして撮像された第２画像を取得する第２取得処理と、
前記第２取得処理により取得された前記第２画像に基づいて、前記第１取得処理による前記第１画像の撮像の際のレンズの焦点距離の状態を変更する変更処理と、
を実行させることを特徴とする焦点調整方法。
【請求項２０】
焦点調整装置のコンピュータを、
レンズの焦点距離が第１の状態で撮像される第１画像を逐次取得する第１取得手段、
前記第１取得手段による前記第１画像の取得中に、レンズの焦点距離を前記第１の状態とは異なる第２の状態にして撮像された第２画像を取得する第２取得手段、
前記第２取得手段により取得された前記第２画像に基づいて、前記第１取得手段による前記第１画像の撮像の際のレンズの焦点距離の状態を変更する変更手段、
として機能させることを特徴とするプログラム。